(57)【要約】【課題】会計時の操作が簡便であるとともに構成の簡易なセルフオーダーシステムを提供する。【解決手段】客が注文入力端末２００を操作することによって、メニューの注文と会計の指示が行われる。会計を行う際、会計指令コードを注文入力端末２００のコードリーダで読み取ると、会計の処理が開始される。読み取られた会計指令コードは、テーブル番号コードとともにホストサーバ１００へ送信される。ホストサーバ１００には、注文時の注文データが客毎（テーブル番号コード毎）に記憶され管理されており、会計時に上記テーブル番号コードが送られてくると、その客に該当する注文データが呼び出され、会計情報がＰＯＳ端末４００に送られて表示や印字が行われる。【選択図】図１
2008065636.tif 000002
【特許請求の範囲】
【請求項１】
注文するメニューの入力を客自身が注文入力端末を操作して行うセルフオーダーシステムにおいて、
注文の会計を指示するための機械読み取り可能な会計指令コードを読み取る読取部、ならびに、入力されたメニューの情報、前記読み取られた会計指令コード、および客を識別する客識別情報を管理装置に送信する通信部を備えた注文入力端末と、
前記注文入力端末から注文データを収集して客毎に管理する管理装置とを有し、
前記注文入力端末から前記会計指令コードおよび前記客識別情報が送信されると該当する注文データを前記管理装置から呼び出して支払金額等の会計情報を出力装置によって印字または画面表示する
ことを特徴とするセルフオーダーシステム。
【請求項２】
各メニューに対応して機械読み取り可能な品目コードが印刷されたメニューブックを用い、前記読取部により前記品目コードを読み取ることによってメニューの入力を行うとともに、前記会計指令コードが前記メニューブックに設けられたことを特徴とする請求項１に記載のセルフオーダーシステム。
【請求項３】
前記会計指令コードは、支払いの手続きを行うための会計端末またはその近傍に設けられたことを特徴とする請求項１に記載のセルフオーダーシステム。
【請求項４】
客が座る各テーブルに機械読み取り可能なテーブル番号コードを設け、前記読取部により該テーブル番号コードを読み取って前記客識別情報としたことを特徴とする請求項１から請求項３のいずれかの項に記載のセルフオーダーシステム。
【請求項５】
店の接客係が携帯する印刷物に接客係コードが機械読み取り可能に印刷されており、前記読取部によって読み取った接客係コードを前記客識別情報と対応させて前記管理装置に記憶することを特徴とする請求項１から請求項４のいずれかの項に記載のセルフオーダーシステム。
【発明の詳細な説明】
【技術分野】
【０００１】
本発明は、飲食店等において客自身が端末を操作して注文の入力を行うセルフオーダーシステムに関する。
【背景技術】
【０００２】
レストランや居酒屋などの飲食店において、客自身が携帯型の注文入力端末を操作してメニューの注文入力を行うことによって、入力された注文データが店側の管理装置へ無線送信され、注文内容が厨房の調理作業者に指示されるセルフオーダーシステムが広く導入されている（例えば、特許文献１参照）。
【特許文献１】特開２００５−４３１７号公報
【発明の開示】
【発明が解決しようとする課題】
【０００３】
通常、このようなセルフオーダーシステムでは、注文したメニューの種類や数量などの注文データは管理装置内に客（注文入力端末）毎に記録・保持されて、会計時にはこの注文データが呼び出されて支払金額の計算やレシートの作成等に利用される。そしてその際には、会計中の客に該当する注文データを指定するために、注文時に使用された注文入力端末の端末番号を入力することが必要とされている。
【０００４】
注文したメニューの会計を客が座ったテーブルで済ませるようにする場合、上記端末番号の入力や会計手続きの依頼を客が行うためのキーを注文入力端末に新たに設けなければならず、注文入力端末が大型化してしまい、端末コストの上昇や、客にとって使い勝手が悪くなるといった問題が生じる。
また、客が会計用レジに出向いて会計をする場合は、注文入力端末ではなく会計用レジを使用して上記必要な入力を行うようにすることができるが、会計用レジのキーを使って入力操作を行うか、会計用レジにバーコードリーダを併設して注文入力端末に貼り付けた上記端末番号のバーコードを読み取るといったことが必要となり、操作の煩雑化やシステム構成の複雑化が生じてしまうという問題がある。
【０００５】
本発明は上記の点に鑑みてなされたものであり、その目的は、会計時の操作が簡便であるとともに構成の簡易なセルフオーダーシステムを提供することにある。
【課題を解決するための手段】
【０００６】
本発明は上記の課題を解決するためになされたものであり、注文するメニューの入力を客自身が注文入力端末を操作して行うセルフオーダーシステムにおいて、注文の会計を指示するための機械読み取り可能な会計指令コードを読み取る読取部、ならびに、入力されたメニューの情報、前記読み取られた会計指令コード、および客を識別する客識別情報を管理装置に送信する通信部を備えた注文入力端末と、前記注文入力端末から注文データを収集して客毎に管理する管理装置とを有し、前記注文入力端末から前記会計指令コードおよび前記客識別情報が送信されると該当する注文データを前記管理装置から呼び出して支払金額等の会計情報を出力装置によって印字または画面表示することを特徴とする。
【０００７】
この発明において、客が注文入力端末を操作してメニューを注文しその会計を行う際、会計指令コードを注文入力端末の読取部で読み取ることによって、会計の処理が開始される。読み取られた会計指令コードは、客識別情報とともに管理装置へ送信される。管理装置には、注文時の注文データが客毎に記憶され管理されており、会計時に上記客識別情報が送られてくると、その客に該当する注文データが呼び出され、会計情報が出力装置により印字等される。
このように、本発明によれば、会計の際は注文入力端末の読取部で会計指令コードを読み取るだけでよく、しかもこの読取部は注文時のメニューの入力（メニューのバーコードの読取り）にも兼用可能なものであるため、会計処理を開始させるための特別なキーなどを設ける必要がなく、注文入力端末の構成を簡易にすることができるとともに、会計のための操作が簡便になる。そして、このように特別なキー等が不要であることから、注文入力端末は、小型で携帯に適したものとすることができる。したがって、客が携帯型の注文入力端末を用いて注文の入力と会計の指示が可能であるとともに、注文から会計までの処理を簡便な操作で実行させることが可能なセルフオーダーシステムを実現することができる。しかも、会計の際に注文入力端末が必要になることから、来店時に客に渡した注文入力端末の回収率を向上させることもできる。
【０００８】
また、本発明は、前記セルフオーダーシステムにおいて、各メニューに対応して機械読み取り可能な品目コードが印刷されたメニューブックを用い、前記読取部により前記品目コードを読み取ることによってメニューの入力を行うとともに、前記会計指令コードが前記メニューブックに設けられたことを特徴とする。
【０００９】
この発明においては、メニューブックに各メニューの品目コードと上記の会計指令コードが機械読み取り可能に印刷されており、このメニューブックを利用して、メニューの入力と会計の指示が行われる。メニューブックは、例えば各テーブルに常備され、あるいは客をテーブルに案内する際に客に渡される。したがって、この発明によれば、客はテーブルに居ながらにして、メニューの注文だけでなく会計の指示を注文入力端末から行うことが可能である。また、メニューブックにメニューの品目コードと会計指令コードを併せて印刷するようにしたので、品目コードと会計指令コードを別々の媒体（印刷物）に印刷する場合と比べて、店側に用意する上記媒体の作成コストを安価にできる。また、客にとっても、メニューブックに注文と会計に必要なコードが載っているので、操作の手間が煩雑になることがない。
【００１０】
また、本発明は、前記セルフオーダーシステムにおいて、前記会計指令コードは、支払いの手続きを行うための会計端末またはその近傍に設けられたことを特徴とする。
【００１１】
この発明においては、会計端末（会計用レジ）のところに客が注文入力端末を持って来ることで会計手続きを行う場合に、会計端末またはその近傍に設けられた会計指令コードを注文入力端末の読取部で読み取って、会計を開始する。すなわち、会計端末のところで会計を行う場合にも、会計端末に特別なキーや会計指令コードのリーダを設けることなく、注文入力端末を用いて会計処理を開始させることができる。
【００１２】
また、本発明は、前記セルフオーダーシステムにおいて、客が座る各テーブルに機械読み取り可能なテーブル番号コードを設け、前記読取部により該テーブル番号コードを読み取って前記客識別情報としたことを特徴とする。
【００１３】
この発明においては、客識別情報が各テーブルにテーブル番号コードとして機械読み取り可能に設けられており、会計の際には、会計指令コードとともにこのテーブル番号コードが注文入力端末の読取部で読み取られ、読み取られたテーブル番号コードによって客の識別がなされる。したがって、本発明によれば、客識別情報を入力するための特別なキーを注文入力端末に設けることなく、会計時に客を特定するために必要な客識別情報の入力が可能である。また、特別なキーが不要であることから、注文入力端末を小型で安価に構成することができる。
【００１４】
また、本発明は、前記セルフオーダーシステムにおいて、店の接客係が携帯する印刷物に接客係コードが機械読み取り可能に印刷されており、前記読取部によって読み取った接客係コードを前記客識別情報と対応させて前記管理装置に記憶することを特徴とする。
【００１５】
本発明によれば、接客係コードを注文入力端末で読み取り、客識別情報と対応させて記憶させるようにしたので、例えば、注文を受けた接客係がその客の会計手続きの応対を行うといったことが可能となる。また、上記接客係コードの入力に特別なキーなどが不要であるので、注文入力端末を小型で安価に構成することができる。
【発明の効果】
【００１６】
本発明によれば、客が注文入力端末を操作して注文の入力を行うセルフオーダーシステムにおいて、会計時の操作を簡便にできるとともに構成の簡易なセルフオーダーシステムを実現可能である。
【発明を実施するための最良の形態】
【００１７】
以下、図面を参照しながら本発明の実施形態について詳しく説明する。
（第１の実施形態）
図１は、本発明の一実施形態によるセルフオーダーシステムの構成図である。本システムは、ホストサーバ（管理装置）１００と、複数台の注文入力端末２００と、無線トランシーバ３００と、代金精算を行うＰＯＳ端末（会計端末）４００と、キッチンプリンタ５００と、ＵＳＢハブ６００と、複数台のクレイドル７００と、有線ＬＡＮ８００とから構成される。
【００１８】
ホストサーバ１００は、客が注文したメニューを示す注文データを注文入力端末２００から収集して注文データファイル（図９）として客毎に管理するとともに、注文の内容を調理作業者に伝えるためキッチンプリンタ５００に注文データを送信して調理指示伝票を印刷させるコンピュータであり、例えば飲食店内の事務室などに設置される。ホストサーバ１００には有線ＬＡＮ（Local Area Network）による通信機能が備わっており、ホストサーバ１００は飲食店内に敷設された有線ＬＡＮ８００を介して、無線トランシーバ３００、ＰＯＳ端末４００、キッチンプリンタ５００と通信可能に接続されている。この有線ＬＡＮ８００の通信方式には、例えばＴＣＰ／ＩＰ（Transmission Control Protocol / Internet Protocol）が利用されており、数１０〜１００Ｍｂｐｓのデータ転送速度で各装置間の通信を行えるようになっている。また、ホストサーバ１００はインターネットなどの外部ネットワーク９００とも通信可能であり、例えば、飲食店チェーンの本社に設置された図示しないデータ管理サーバが、この外部ネットワーク９００を介して各店のホストサーバ１００から全店の売上情報を収集し管理するようにしてもよい。
【００１９】
注文入力端末２００は、客の注文するメニューを入力して注文データとしてホストサーバ１００へ送信する携帯型の端末装置であり、図１に示されているようにペン型の外観形状を有している。ペン型の先端には、メニューコードブック（図３）に記載されたコードを読み取るリーダ（読取部）が備えられている。メニューの入力は、このリーダでメニューコードブック上のコードを読み取らせることによって行われる。注文入力端末２００により入力され送信された注文データは、無線トランシーバ３００によって受信されて、有線ＬＡＮ８００を通ってホストサーバ１００へ送信される。
【００２０】
なお、注文入力端末２００と無線トランシーバ３００間の通信には、例えばＺｉｇＢｅｅなどの無線通信方式を利用する。ここで、ＺｉｇＢｅｅは、短距離無線通信規格の一つであり、データ転送速度が低速で伝送距離も短いが、消費電力が低く、通信機器も容易に低コスト化できるという特徴を持った通信規格として知られるものである。飲食店の注文データは容量が小さいので、ＺｉｇＢｅｅを利用することでシステムの無線機器を低コストに構成できるメリットがある。
【００２１】
また、注文入力端末２００は、各メニューのメニュー名称や、メニューに関する調理方法や食材などを説明したメニュー情報を音声により報知するための音声データを保持している。注文入力端末２００にメニューが入力されると、該当するメニュー名称やメニュー情報が音声にて報知される。
【００２２】
非使用時には、注文入力端末２００はクレイドル７００に装着されている。クレイドル７００は、装着された注文入力端末２００をＵＳＢ（Universal Serial Bus）によりキッチンプリンタ５００に通信可能に接続させて、当該装着された注文入力端末２００内の上記音声データをホストサーバ１００からキッチンプリンタ５００経由で更新可能にする接続装置である。クレイドル７００には、注文入力端末２００を装着するための装着口が例えば縦３列、横１０列の合計３０個設けられている。各装着口の奥には、ＵＳＢコネクタと充電用端子が設けられている。クレイドル７００にはまた、キッチンプリンタ５００と接続するためのＵＳＢ端子が設けられており、内蔵されたＵＳＢハブによりこのＵＳＢ端子と上記の各ＵＳＢコネクタ間が分岐されて接続されている。さらに、クレイドル７００はＡＣケーブルを有し、このＡＣケーブルは外部のＡＣ電源に接続されて、クレイドル７００内蔵の充電回路により、上記の充電用端子から注文入力端末２００を充電できるようになっている。
【００２３】
キッチンプリンタ５００は、飲食店の厨房内あるいはその近傍に設置された、注文されたメニュー内容を調理指示伝票として印刷するプリンタである。注文されたメニューを指示する注文データは、注文入力端末２００からホストサーバ１００へ送られて処理され、ホストサーバ１００から有線ＬＡＮ８００を通ってキッチンプリンタ５００へ送信されてくる。印刷された調理指示伝票は厨房の調理作業者へ渡され、注文されたメニューの料理が調理される。
【００２４】
また、キッチンプリンタ５００には、ＵＳＢ通信を行うためのＵＳＢポートが備えられており、このＵＳＢポートとクレイドル７００のＵＳＢ端子とをＵＳＢケーブルで接続できるようになっている。そして、キッチンプリンタ５００はＬＡＮにより通信されるデータとＵＳＢにより通信されるデータとを相互に変換する機能を有しており、これによりホストサーバ１００とクレイドル７００に装着された注文入力端末２００の間で通信を行うことが可能になっている。図１では、キッチンプリンタ５００とクレイドル７００との間にさらにＵＳＢハブ６００を設けることで、多数の注文入力端末２００を使用できるようにしている。すなわち、例えばＵＳＢハブ６００に１０台のクレイドル７００を接続した構成とした場合には、クレイドル１台には３０台の注文入力端末２００を装着できる（装着口が３０個ある）ので、店内全体で合計３００台の注文入力端末２００を使用する構成となる。
【００２５】
なお、キッチンプリンタ５００には図示しない操作部が設けられており、調理作業者が操作部を操作することによって、在庫がなくなったメニューをホストサーバ１００に通知することができるようになっている。ホストサーバ１００はこの通知を受けて、例えばその店で提供されるメニュー一覧を記憶したメニューファイル（図４）を更新する。これによって、上記通知されたメニューについては、新たな注文を注文入力端末２００から受け付けることがないようになっている。
【００２６】
ＰＯＳ端末４００は、飲食店の出入口付近に設置されて客の代金精算において利用される端末装置である。代金精算を行うために必要となる、支払金額やレシートへの記載事項（飲食したメニューの名前やその数量、日付等）などの会計情報は、注文入力端末２００から会計の指示がなされるとホストサーバ１００から有線ＬＡＮ８００を通ってＰＯＳ端末４００へ送信されてくる。ＰＯＳ端末４００は、送られてきた会計情報を表示用ディスプレイやプリンタなどの出力装置から、画面表示として出力したり、レシートとして印刷出力したりする。
【００２７】
図２は、注文入力端末２００の内部構成を示す電気ブロック図である。
ＣＰＵ２０１は、注文入力端末２００の各部を制御する中央処理装置であり、ＲＯＭ２０２から所定のプログラムをロードして実行する。ＲＯＭ２０２は、ＣＰＵ２０１が実行する各種のプログラムを格納している記憶部（リードオンリメモリ）である。ＲＡＭ２０３は、前述のメニューファイルや音声データ等を格納するファイル記憶エリアと、ＣＰＵ２０１が動作時に呼び出し、使用するデータを一時的に記憶する一時記憶エリアとを有した記憶部（ランダムアクセスメモリ）である。一時記憶エリアには、注文入力端末２００の固有のＩＤ番号、コードリーダ２０４で読み取ったメニューコード（品目コード）やそのメニューの注文数、会計指令コード、テーブル番号コード、担当者（接客係）コードなどが記憶される。
【００２８】
コードリーダ（読取部）２０４は、メニューコードブック（図３）の文字表示部分に重ねて一見すると見えないように印刷されているメニューコードやファンクションキー、会計指令コードなどの各種コードを赤外線により読み取る赤外線式読取部であり、注文入力端末２００のペン先端部分に設けられている。コードリーダ２０４をメニューコードブックの所定箇所に当てる、あるいは所定箇所をなぞることによって、当該箇所に印刷されているコードの入力（読み取り）が行われる。
【００２９】
音声合成回路２０５は、ＲＡＭ２０３から読み出された音声データから音声波形を合成してスピーカ２０６へ出力するデジタル回路である。コードリーダ２０４から入力されたメニューに関する音声データが音声合成回路２０５によって音声出力されて、スピーカ２０６からメニューの案内情報として音声が発生する。
【００３０】
無線通信部２０７は、無線トランシーバ３００との間で注文データの無線通信を行う、ＺｉｇＢｅｅによる通信装置である。
ＵＳＢ−Ｉ／Ｆ２０８は、クレイドル７００への装着時に装着口奥のＵＳＢコネクタと接続されて、ＲＡＭ２０３内の音声データを更新するための通信を行う通信インタフェースである。
【００３１】
バッテリー２０９は、注文入力端末２００の各部へ電力を供給する充電式の内蔵電池であり、クレイドル７００への装着時に充電が行われる。バッテリー２０９の電池残量は、ＬＥＤインジケータ２１０に表示されるようになっている。
【００３２】
図３は、メニューの一覧が記載され、客がメニューを選択する際に使用するメニューコードブックの一例である。メニューコードブックには、メニューエリア部に各種のメニューの名称とその値段が記載されており、またメニューによってはその調理方法（例えばステーキの場合、焼き方はレアかミディアムかウェルダンか）や選択可能なサイドディッシュ（例えばベイクドポテト、フレンチフライ、温野菜など）、飲み物の提供タイミング（食前か食後か）などの調理指示情報も記載されている。そして、メニューの名称と調理指示情報の部分には、当該記載内容を所定の方式でコード化した、赤外線で読み取り可能なコードが印刷されている。注文入力端末２００のペン先端部（コードリーダ２０４）をメニューの名称や調理指示情報の部分に触れさせると、上記コードが読み取られて注文入力端末２００に注文内容として入力されることになる。
【００３３】
またメニューコードブックには、ファンクションキーエリア部に、１〜１０の数字や「確定」、「キャンセル」、「繰り返し」、「送信」、「会計」、「スタッフを呼ぶ」などの各種ファンクションキーが記載されており、これらの各ファンクションキー部分にも、上記の赤外線読み取り可能なコードが印刷されている。注文入力端末２００のコードリーダ２０４でメニューを入力していく際、ファンクションキーの読み取り入力と組み合わせながら、注文の入力を行っていく。また、飲食後などに接客係を呼んで会計を頼む際には、「会計」のファンクションキー、すなわち会計指令コードをコードリーダ２０４に読み取らせる。
【００３４】
図４は、メニューファイルの一例であり、ホストサーバ１００と注文入力端末２００で同一の内容のものが記憶される。メニューファイルには、メニューを特定する識別番号である品目コードと、メニューの名称と、価格と、名称用音声コードと、説明用音声コードと、メニューの在庫の有無を示す売切フラグなどがメニュー毎に記録されている。売切フラグは、そのメニューが売り切れた場合に「１」が設定され、売り切れていない場合には「０」が設定される。名称用音声コードは、当該メニューの名称を注文入力端末２００のスピーカ２０６から音声出力するための音声データを特定する識別番号であり、説明用音声コードは、同じく当該メニューの詳細説明（調理方法や食材に関する説明等）の音声データを特定する識別番号である。なお、名称用音声コードと説明用音声コードの代わりに、対応する音声データのファイル名（例えば「ｘｘｘｘ．ｗａｖ」など）を直接記録しておいてもよい。
【００３５】
図５は、メニューの注文時に注文入力端末２００からホストサーバ１００へ送信される注文データ送信テキストのデータ構造を示したものである。注文データ送信テキストは、先頭から端末ＩＤ（注文入力端末２００のＩＤ番号）、テーブル番号、担当者コードが配置され、その後に注文するメニューのデータが配置される。注文するメニューのデータは、品目コード、調理指示情報のコード、注文数からなっている。複数のメニューが注文された場合には、それらのデータが順次続いて配置される。
【００３６】
図５において、品目コードは、メニューコードブックからコードリーダ２０４により読み取られたデータである。また、客が座る各テーブルにはテーブル固有のテーブル番号をメニューコードブックと同様の方式でコード化したテーブル番号コードを印字した印刷物（図７）が貼り付けられており、これをコードリーダ２０４で読み取ったものが上記テーブル番号となる。また、接客係は一人ずつ個別の担当者コードをメニューコードブックと同様の方式でコード化して印刷した名札（図８）を着用しており、これをコードリーダ２０４で読み取ったものが上記担当者コードとなる。
【００３７】
図６は、会計の依頼時に注文入力端末２００からホストサーバ１００へ送信される会計指令コード送信テキストのデータ構造を示したものである。会計指令コード送信テキストは、先頭から、端末ＩＤ、テーブル番号、担当者コード、会計指令コードが順に配置される。端末ＩＤ、テーブル番号、担当者コードは、図５の注文データ送信テキストと同じである。会計指令コードは、メニューコードブックからコードリーダ２０４により読み取られたデータである。客が接客係に会計を頼む際に、メニューコードブック上の「会計」のファンクションキー（会計指令コード）をコードリーダ２０４に読み取らせると、図６の会計指令コード送信テキストが注文入力端末２００からホストサーバ１００へ送信されることになる。
【００３８】
図９は、ホストサーバ１００により記憶され管理される、注文入力端末２００からの注文データを収集した注文データファイルの一例である。注文データファイルには、注文入力端末２００から注文データを受信した時刻を示す注文時刻と、客の座っているテーブルを特定するテーブル番号と、接客を担当する接客係の担当者コードと、注文されたメニューを特定する品目コードと、当該メニューの注文数と、会計が済んだか否かを表す会計フラグなどの各項目が注文毎（客毎）に記憶される。また、新たな注文データは注文データファイルの末尾に順次追加されていくようになっている。
【００３９】
会計フラグは、値「０」が会計未完了を示し、値「１」が会計完了済みを示す。初めの状態（注文データが書き込まれた時）では会計フラグは「０」にセットされ、会計の処理が行われると会計フラグは「１」にセットされる。図９には、例えば１１時４０分にテーブル番号「１０」から品目コード「５」と「２３」のメニューがそれぞれ２名分注文され、この注文についてはまだ会計が済んでいないことが示されている。
【００４０】
上記の注文データファイルに格納された各注文データは、会計時に呼び出されて、支払金額の算出やレシートへの記載事項（飲食したメニューの名前やその数量、日付等）の生成などの処理において用いられる。呼び出される注文データは、テーブル番号の値が注文入力端末２００から送られる会計指令コード送信テキスト（図６）のテーブル番号と一致し、且つ会計フラグが「０」の注文データである。
【００４１】
図１０は、本実施形態によるセルフオーダーシステムの利用手順を示したフローチャートである。
まず、飲食店に客が来店すると、店員はクレイドル７００に装着されている注文入力端末２００を一つ取り出し、客をテーブルに案内する（ステップＳ１）。そして、店員は注文入力端末２００のコードリーダ２０４でテーブル番号と担当者コードを読み取って、注文入力端末２００のＲＡＭ２０３に一時記憶させる（ステップＳ２）。ここで、上記説明したように、テーブル番号は客の案内されたテーブルを識別する番号であり、各テーブルに備え付けたカードに赤外線読み取り可能なコードとして印刷されている（図７）。また、担当者コードは店員を識別する番号であり、店員の名札に同様の赤外線読み取り可能なコードとして印刷されている（図８）。テーブル番号と担当者コードを読み取らせた後、店員は注文入力端末２００を客に渡して（ステップＳ３）、メニューの注文を行わせる。
【００４２】
客は、テーブルに備え付けられたメニューコードブックを見て、注文したいメニューを選択して、当該メニューの名称の部分やファンクションキーの部分を注文入力端末２００のコードリーダ２０４でなぞってコードを入力する。例えば、サーロインステーキ１人前をミディアムで注文し、サイドディッシュに温野菜を選ぶ場合、「サーロインステーキ」の名称部分、「ミディアム」、「温野菜」の調理指示情報の部分、ファンクションキーエリアの数字「１」と「確定」とを順に読み取る。この時、注文入力端末２００は、入力されたメニューの名称や調理方法などの説明に対応する音声データをＲＡＭ２０３から呼び出し、スピーカ２０６から音声案内を出力する。客は必要に応じ、音声による報知内容を参考にメニューの変更を行うこともできる。注文したいメニューを全て入力し終わったら、客はメニューコードブックのファンクションキーエリアにある「送信」をコードリーダ２０４に読み取らせる。これにより、注文入力端末２００は図５の注文データ送信テキストを生成して、ホストサーバ１００へ送信する（ステップＳ４）。
【００４３】
ホストサーバ１００は、注文入力端末２００からの注文データ送信テキストを受信してそれに含まれる各メニューの注文データを注文データファイル（図９）に順次追加し記憶するとともに、キッチンプリンタ５００に当該注文データを送信して調理指示伝票を発行させる（ステップＳ５）。調理指示伝票を受けた調理作業者により料理が調理されてテーブルへ配膳される（ステップＳ６）。
【００４４】
客は、飲食終了後に会計を頼む際、メニューコードブックのファンクションキーエリアにある「会計」（会計指示コード）を注文入力端末２００のコードリーダ２０４でなぞることによって会計の指示を入力する。注文入力端末２００は、会計指示コードをコードリーダ２０４で読み取って、会計指示コード送信テキストを生成してホストサーバ１００へ送信する（ステップＳ７）。ホストサーバ１００はこの会計指示コード送信テキストを受信して、ＰＯＳ端末４００に会計情報（請求書）を印刷させる（ステップＳ８）。この請求書にはテーブル番号も印刷されており、店員は該当するテーブルに請求書を持って行き客に請求書を手渡すとともに、注文入力端末２００を回収する（ステップＳ９）。客は請求書をＰＯＳ端末４００に持って行き、代金の精算を行う（ステップＳ１０）。
【００４５】
一方、店員は、回収した注文入力端末２００をクレイドル７００に装着させる。クレイドル７００に装着された注文入力端末２００に対しては、バッテリー２０９への充電が行われるとともに、ホストサーバ１００からＵＳＢを介して最新のメニューファイルや音声データがダウンロードされ、ＲＡＭ２０３内のこれらのデータが更新される（ステップＳ１１）。充電とデータの更新がされた注文入力端末２００は再び次の客に利用される。
【００４６】
図１１は、上述したセルフオーダーシステムの利用手順における注文入力端末２００の動作を説明するフローチャートである。
注文入力端末２００は、まずＵＳＢ接続が有効であるかどうかを検出することにより、クレイドル７００に装着中か否かの判断を行う（ステップＳ１０１）。ＵＳＢ接続が無効であった場合はクレイドル７００に装着されていないと判断し、コードリーダ２０４からテーブル番号と担当者コードの読み取り入力があるか否かを判断する（ステップＳ１０２）。
【００４７】
この入力が行われると、メニューのコード（メニューコードブック上のメニュー名称や調理指示情報）の読み取り入力を受け取り（ステップＳ１０３）、ＲＡＭ２０３内のメニューファイルにおいて当該読み取られたメニューを検索し、そのメニューの名称用音声コードと説明用音声コードに該当する音声データをＲＡＭ２０３から呼び出して、スピーカ２０６から音声出力の報知を行う（ステップＳ１０４）。そして、メニューコードブックから「送信」のコードが読み取られたか否かを判断し（ステップＳ１０５）、読み取られていなければ次のメニューの入力を可能とするためステップＳ１０３へ戻る。「送信」のコードが読み取られると、注文されるメニューが確定したことになるので、入力された各メニューのコードから注文データ送信テキスト（図５）を生成し、これをホストサーバ１００へ無線通信部２０７から送信する（ステップＳ１０６）。
【００４８】
その後、「会計」のコード（会計指令コード）の読み取り入力があったか否かを判断し（ステップＳ１０７）、入力があれば会計指令コード送信テキストを生成してホストサーバ１００へ送信する（ステップＳ１０８）。そして、ステップＳ１０１へ戻る。
【００４９】
一方、ステップＳ１０１でＵＳＢ接続が有効であった場合には、注文入力端末２００はクレイドル７００に装着中であると判断する。そして、ＲＡＭ２０３内の一時記憶エリアに一時記憶されているデータ（直前の客が使用した際の注文データ等）を消去（ステップＳ１０９）した上で、ホストサーバ１００が管理している音声データやメニューファイルの各ファイルの最新更新日時をホストサーバ１００に問い合わせる（ステップＳ１１０）。
【００５０】
問い合わせ結果を受信すると、当該問い合わせ結果に従い、ＲＡＭ２０３内の各ファイルの更新日時が最新のものであるか否かを判断し（ステップＳ１１１）、ホストサーバ１００の方が新しいものについてホストサーバ１００へ当該最新のデータの要求を送信する。そして、ホストサーバ１００から有線ＬＡＮ８００で送信される更新用のデータをクレイドル７００経由で受信して、ＲＡＭ２０３の該当ファイルの更新を行う（ステップＳ１１２）。
【００５１】
図１２は、上記説明したセルフオーダーシステムの利用手順におけるホストサーバ１００の動作を説明するフローチャートである。
ホストサーバ１００は、常時、注文入力端末２００から注文データの送信、または音声データの更新日時の問い合わせがあるか否かをチェックしている（ステップＳ２０１、ステップＳ２０６）。そして、注文データを受信すると、その注文データを注文データファイルに順次追加して記憶していく（ステップＳ２０２）。また、注文データをキッチンプリンタ５００へ送信して、キッチンプリンタ５００に当該注文に係る調理指示伝票の印刷を指示する（ステップＳ２０３）。
【００５２】
その後、会計指令コード送信テキストが注文入力端末２００から送信されたか否かをチェックする（ステップＳ２０４）。会計指令コード送信テキストを受信したら、それに含まれる「テーブル番号」のデータとテーブル番号が一致し、且つ会計フラグが「０」である注文データを注文データファイルから呼び出す。そして、呼び出した注文データをＰＯＳ端末４００へ送信し、請求書の印刷・発行を指示する（ステップＳ２０５）。なお、上記のようにテーブル番号の一致を判断しているのは、テーブル番号により客を識別可能だからである。ステップＳ２０５の後、処理はステップＳ２０１へ戻る。
【００５３】
一方、注文入力端末２００から音声データやメニューファイルなどの各ファイルの更新日時の問い合わせがあった場合（ステップＳ２０６でＹＥＳ）、ホストサーバ１００は、管理している各ファイルの更新日時を注文入力端末２００に上記問い合わせの返答として返信する（ステップＳ２０７）。注文入力端末２００から最新のデータの要求をさらに受けると（ステップＳ２０８）、当該要求に係るデータを検索し、得られたデータを有線ＬＡＮ８００により注文入力端末２００へ送信する。問い合わせの返答を受信した注文入力端末２００において、当該注文入力端末２００のＲＡＭ２０３内の各ファイルが最新のものであった場合（図１１のステップＳ１１１参照）には、データの要求は送られてこないので処理はステップＳ２０１へ戻る。
【００５４】
（第２の実施形態）
次に、本発明の第２の実施形態について説明する。本実施形態では、会計指令コードがメニューコードブックではなくＰＯＳ端末４００に備えられている点が第１の実施形態と異なる。そしてこの場合、客は注文入力端末２００を持ってＰＯＳ端末４００のところへ行き、会計を行うことになる。
【００５５】
図１３は、ＰＯＳ端末４００の外観構成図を示したものである。
店員用表示器４０１は、客が注文したメニューの一覧や支払金額などを含む会計情報を表示する装置であり、液晶タッチパネル４０２から構成される。キー操作部４０３には、テンキーなどの各種キーが備えられており、例えば会計時に客から受け取った支払金額の入力するために使用する。レシート発行口４０４からは、上記会計情報を印刷したレシートが発行される。なお、前述したように、ＰＯＳ端末４００は有線ＬＡＮ８００を介してホストサーバ１００と接続されており（接続インタフェースは図示していない）、ホストサーバ１００から会計情報が送られてくるようになっている。
【００５６】
会計呼出シール４０５には、第１の実施形態におけるメニューコードブック上の会計指令コードと同様の会計指令コードが印刷されている。会計の際、この会計呼出シール４０５上の会計指令コードが、客が使用し持参した注文入力端末２００のコードリーダ２０４で読み取られることになる。なお、この会計呼出シール４０５は、ＰＯＳ端末４００の本体表面ではなく、ＰＯＳ端末４００の設置台などＰＯＳ端末４００の近傍に設けるようにしてもよい。
【００５７】
磁気カードリーダ４０６は、支払いに使用するクレジットカードや飲食店のメンバー会員に発行された会員カードなどを読み取る磁気式読取装置である。
ドロワ４０７には、客から支払われ、または客へ釣銭として渡される紙幣や硬貨が保管されている。
【００５８】
図１４は、本実施形態によるセルフオーダーシステムの利用手順を示したフローチャートである。図１４において、ステップＳ６までは前述した第１の実施形態と手順は同じであるので説明を省略する。
【００５９】
ステップＳ６で料理が配膳され、飲食が済んだ後、会計の手順に移る。客は注文入力端末２００を持ってＰＯＳ端末４００のところへ行き、店員はその注文入力端末２００を回収する（ステップＳ１２）。店員は、回収した注文入力端末２００を使い、そのコードリーダ２０４でＰＯＳ端末４００の会計呼出シール４０５を読み取らせる。注文入力端末２００は、会計呼出シール４０５から読み取られた会計指令コードより会計指令コード送信テキストを生成し、ホストサーバ１００へ送信する（ステップＳ１３）。ホストサーバ１００はこの会計指示コード送信テキストを受信して、ＰＯＳ端末４００に会計情報を送信する（ステップＳ１４）。
【００６０】
ＰＯＳ端末４００は、上記会計情報を受信して店員用表示器４０１に表示させるとともに、レシート発行口からレシートを発行する（ステップＳ１５）。これにより代金の精算が完了する。その後、店員は注文入力端末２００をクレイドル７００に装着させ、注文入力端末２００に対し充電とデータの更新が行われる（ステップＳ１６）。
【００６１】
以上、図面を参照してこの発明の実施形態について詳しく説明してきたが、具体的な構成は上述のものに限られることはなく、この発明の要旨を逸脱しない範囲内において様々な設計変更等をすることが可能である。
例えば、上記実施形態では、客を識別する客識別情報としてテーブル番号コードを用いたが、客識別情報は客を識別することができるものであればよく、例えば注文入力端末２００の端末ＩＤ（図５参照）を客識別情報としてもよい。
また、テーブル番号コードを用いる場合、メニューコードブックをテーブル毎に備え付けて各テーブル専用のものとし、このメニューコードブックにテーブル番号コードを印刷するようにすることも可能である。一般化すると、テーブル番号コードは、客の座ったテーブルを特定し、客を識別することができるように設けられていればよい。
【００６２】
また、メニューコードや会計指令コードに適用するコードの形式は、本発明において特に限定されるものではない。例えば、上記実施形態で説明したような赤外線読み取り式のバーコードの他に、バーコードを紫外線反射インクで印刷して人間の目には見えないようにすることもできる。また、バーコードを二次元バーコードとしてもよい。また、コード全体を多数のドットで構成し、一つ一つのドット自体は目視不可能な大きさ（例えば数十〜数百ミクロン）にして全ドットを一定サイズのエリア（例えば各メニューの写真や「会計」の文字が印刷されている部分）に分散して配置させる方式を適用してもよい。
【００６３】
また、上記の実施形態では、キッチンプリンタ５００とＵＳＢハブ６００とクレイドル７００と注文入力端末２００の間はＵＳＢにより通信を行うものとしたが、これに限定されることはなく、例えば光通信や高速無線通信（ＵＷＢ；Ultra Wide Band等）を適用することもできる。ただし、クレイドル７００と注文入力端末２００間は近距離であるので低消費電力の通信方式を使うのが好ましい。
【００６４】
また、注文入力端末２００は、外観形状をペン型として注文内容を音声出力により報知するようにしたが、端末のサイズや消費電力に支障がない範囲において報知手段を液晶ディスプレイなどの表示装置とすることもできる。
また、第１の実施形態において、会計が指示されたときに会計情報の印刷を実行するのはＰＯＳ端末４００に限られず、キッチンプリンタ５００やその他専用に設けたプリンタであってもよい。
【図面の簡単な説明】
【００６５】
【図１】本発明の一実施形態によるセルフオーダーシステムの構成図である。
【図２】注文入力端末の内部構成を示す電気ブロック図である。
【図３】客がメニューを選択する際に使用するメニューコードブックの一例である。
【図４】メニューファイルの一例である。
【図５】注文データ送信テキストのデータ構造である。
【図６】会計指令コード送信テキストのデータ構造である。
【図７】テーブル番号コードを印刷した印刷物の一例である。
【図８】担当者コードを印刷した名札の一例である。
【図９】注文データファイルの一例である。
【図１０】セルフオーダーシステムの利用手順（第１の実施形態）を示したフローチャートである。
【図１１】注文入力端末の動作を説明するフローチャートである。
【図１２】ホストサーバの動作を説明するフローチャートである。
【図１３】ＰＯＳ端末の外観構成図である。
【図１４】セルフオーダーシステムの利用手順（第２の実施形態）を示したフローチャートである。
【符号の説明】
【００６６】
１００…ホストサーバ（管理装置）  ２００…注文入力端末  ２０１…ＣＰＵ  ２０２…ＲＯＭ  ２０３…ＲＡＭ  ２０４…コードリーダ  ２０５…音声合成回路  ２０６…スピーカ  ２０７…無線通信部  ２０８…ＵＳＢ−Ｉ／Ｆ  ２０９…バッテリー  ２１０…ＬＥＤインジケータ  ３００…無線トランシーバ  ４００…ＰＯＳ端末（会計端末）  ４０１…店員用表示器  ４０２…液晶タッチパネル  ４０３…キー操作部  ４０４…レシート発行口  ４０５…会計呼出シール  ４０６…磁気カード  ４０７…ドロワ  ５００…キッチンプリンタ  ６００…ＵＳＢハブ  ７００…クレイドル  ８００…有線ＬＡＮ
【図１】
2008065636.tif 000003
【図２】
2008065636.tif 000004
【図３】
2008065636.tif 000005
【図４】
2008065636.tif 000006
【図５】
2008065636.tif 000007
【図６】
2008065636.tif 000008
【図７】
2008065636.tif 000009
【図８】
2008065636.tif 000010
【図９】
2008065636.tif 000011
【図１０】
2008065636.tif 000012
【図１１】
2008065636.tif 000013
【図１２】
2008065636.tif 000014
【図１３】
2008065636.tif 000015
【図１４】
2008065636.tif 000016